(57)【特許請求の範囲】
【請求項１】
桁行方向に山部と谷部を交互に並設して成る波形屋根上において、谷部を介して隣接する２つの山部の頂部間に架設する桁行方向に長い矩形平板状の固定部を設けて成り、該固定部は、屋根の流れ方向に長い１本の縦杆材の適所を直交状に載置固定可能にして、且つ、２本の縦杆材の後端部と前端部を隣接させて直交状に並置固定可能に設け、固定部上に直交配置する１本又は２本の縦杆材の底部をその下方から挿通固定する支持ボルトを下方より上方へ貫通突設可能と成す様に、固定部の端部に形成した前記山部の頂部に固定されるボルトの挿通穴の近傍にまで長手方向端部が至る長さを有する固定部の長手方向に長い一条の長穴を貫設したことを特徴とする太陽電池パネル取付架台の支持金具。
【請求項２】
上記挿通穴を固定部の長手方向に長く形成したことを特徴とする請求項１記載の太陽電池パネル取付け架台の支持金具。
【発明の詳細な説明】
【技術分野】
【０００１】
本発明は、波形スレート屋根、折板屋根、瓦葺き屋根等の波形屋根の上に太陽電池パネルを取付ける架台を設置するための太陽電池パネル取付架台の支持金具に関する。
【背景技術】
【０００２】
特許文献１には、桁行方向に山部と谷部を交互に並設して成る波形屋根上において、隣接する山部の頂部間に固定部を架設し、該固定部に太陽電池パネル取付架台を構成する縦杆材の適所を直交状に載上固定した太陽電池パネル取付架台の支持金具が開示されている。
【０００３】
この支持金具は、屋根の流れ方向に縦杆材を連続させて屋根上に太陽電池パネルを多数設置する場合には、２つの支持金具の端部を上下に重ね合わせて屋根上に固定し、各支持金具に縦杆材の後端と前端の夫々を固定するか、若しくは、２つの支持金具の重ね合わせられる端部を共有する様に一体形成（以下、２連支持金具と称する。）して、１つの支持金具に相当する縦杆材の固定部に各縦杆材の後端と前端の夫々を固定し、縦杆材の前後端を桁行方向に位置ずれさせて屋根の流れ方向前後に縦杆材を連続させ、この連続した縦杆材上で屋根の流れ方向前後に太陽電池パネルを必要以上の間隔を有すること無く整然と連設できる様にして、屋根上での太陽電池パネルの設置可能面積が縮小するのを抑制している。
【先行技術文献】
【特許文献】
【０００４】
【特許文献１】特開２０１５−２１４８２２号公報
【発明の概要】
【発明が解決しようとする課題】
【０００５】
したがって、太陽電池パネルを波形屋根上に設置するに際し、縦杆材を屋根の流れ方向に連続させて使用する箇所では、２つの支持金具の端部を重ね合わせて使用するか、２連支持金具を使用する必要がある。
【０００６】
前者の場合は、重ね合わせての使用が甚だ面倒で手間を有し、後者の場合では、２種の支持金具を選択使用せねばならない手間を有し、又いずれのものも、ほぼ２つ分の支持金具を使用するので、コスト高となる課題を有している。
【０００７】
そこで、本発明では、１形態の単独使用で縦杆材の１本固定も２本固定も可能にした太陽電池パネル取付架台の支持金具を提供することを目的としている。
【課題を解決するための手段】
【０００８】
上記課題に鑑み、本発明の太陽電池パネル取付架台の支持金具は、桁行方向に山部と谷部を交互に並設して成る波形屋根上において、谷部を介して隣接する２つの山部の頂部間に架設する桁行方向に長い矩形平板状の固定部を設けて成り、該固定部は、屋根の流れ方向に長い１本の縦杆材の適所を直交状に載置固定可能にして、且つ、２本の縦杆材の後端部と前端部を隣接させて直交状に並置固定可能に設け、固定部上に直交配置する１本又は２本の縦杆材の底部をその下方から挿通固定する支持ボルトを下方より上方へ貫通突設可能と成す様に、固定部の端部に形成した前記山部の頂部に固定されるボルトの挿通穴の近傍にまで長手方向端縁が至る長さを有する固定部の長手方向に長い一条の長穴を貫設したことを特徴とする。
又、上記挿通穴を固定部の長手方向に長く形成しても良い。
【発明の効果】
【０００９】
要するに本発明に係る太陽電池パネル取付架台の支持金具は、桁行方向に山部と谷部を交互に並設して成る波形屋根上において、谷部を介して隣接する２つの山部の頂部間に架設する桁行方向に長い矩形平板状の固定部を設けて成り、該固定部は、屋根の流れ方向に長い１本の縦杆材の適所を直交状に載置固定可能にして、且つ、２本の縦杆材の後端部と前端部を隣接させて直交状に並置固定可能に設けたので、１形態の支持金具の単独使用で縦杆材の１本固定も２本固定も可能に成り、上記した従来の作業上の手間を解消できると共に、製造コストも低減できる。
【００１０】
固定部は、該固定部上に直交配置する１本又は２本の縦杆材の底部をその下方から挿通固定する支持ボルトを下方より上方へ貫通突設可能と成す様に、固定部の端部に形成した上記山部の頂部に固定されるボルトの挿通穴の近傍にまで長手方向端縁が至る長さを有する固定部の長手方向に長い一条の長穴を貫設したので、長穴に１本又は２本の支持ボルトを貫通突設するだけで、１形態の支持金具を縦杆材の１本又は２本の載置形態とすることができ、手間取ることなく作業を行える。
【００１１】
固定部の端部には、上記山部の頂部に固定されるボルトの挿通穴を固定部の長手方向に長く形成したので、挿通穴に対するボルトの挿通位置をその挿通穴内で移動して調整でき、前記頂部上に挿通穴を位置対応させてボルトで端部を固定することにより、隣接する山部の間隔に対応して簡単に固定部を屋根上に取付けられる等その実用的効果甚だ大である。
【図面の簡単な説明】
【００１２】
【図１】波形屋根への一固定例を示す支持金具の斜視図である。
【図２】図１の正面図である。
【図３】図２の平面図である。
【図４】図３のＡーＡ断面図である。
【図５】支持金具上に１本の縦杆材を載置した状態を示す一部破断平面図である。
【図６】太陽電池パネルの設置状態を示す一部破断正面図である。
【図７】波形屋根上の縦横に支持金具を固定した状態を示す概略平面図である。
【図８】屋根カバーを被覆した波形屋根への一固定例を示す支持金具の正面図である。
【図９】波形屋根への他の固定例を示す支持金具の斜視図である。
【図１０】図９の正面図である。
【図１１】図10の平面図である。
【図１２】支持金具上に２本の縦杆材を載置した状態を示す一部破断平面図である。
【図１３】太陽電池パネルの設置状態を示す一部破断正面図である。
【図１４】波形屋根上の縦横に支持金具を固定した状態を示す概略平面図である。
【図１５】屋根カバーを被覆した波形屋根への他の固定例を示す支持金具の正面図である。
【発明を実施するための形態】
【００１３】
以下本発明の実施の一形態例を図面に基づいて説明する。
本発明に係る太陽電池パネル取付架台の支持金具は、桁行方向Ｘに山部R1と谷部R2を交互に並設して成る波形屋根Ｒ上において、谷部R2を介して隣接する２つの山部R1の頂部Ra間に架設する桁行方向Ｘに長い矩形平板状の固定部１を設けて成り、該固定部１は、屋根Ｒの流れ方向Ｙに長い１本の縦杆材２の適所を直交状に載置固定可能にして、且つ、２本の縦杆材２の後端部2bと前端部2aを隣接させて直交状に並置固定可能に設けている。
【００１４】
尚、波形屋根Ｒは、図示例の波形スレート屋根や、リフォーム用の波形の屋根カバーＣを被覆した波形スレート屋根Ｒ（図８、15参照）の他に、図示しない折板屋根、瓦葺き屋根であっても良い。
【００１５】
波形スレート屋根Ｒは、その桁行方向Ｘに架設したリップ溝形鋼から成る桁Ｂ上に波形スレートＲを葺設し、桁Ｂの下向きのリップにフックボルトＦ下端のフックを掛止し、波形スレートＲの山部頂部Raを下方より上方へ貫通突出するフックボルトＦ上端の螺子部に防水パッキンＰと座金Ｗを挿通してナットＮで締結している（図４参照）。
【００１６】
固定部１は、該固定部１上に直交配置する１本又は２本の縦杆材２の底部2cをその下方から挿通固定する支持ボルト３を下方より上方へ貫通突設可能と成す様に、固定部１の端部に形成した上記山部R1の頂部Raに固定される（六角コーチ）ボルト６の挿通穴７の近傍にまで長手方向端部が至る長さを有する固定部１の長手方向に長い一条の長穴４を貫設している。
【００１７】
支持ボルト３で１本の縦杆材２の底部2cを挿通固定する場合は、長穴４の適所に１本の支持ボルト３を貫通突設（図１、３、７、14参照）し、２本の縦杆材２の底部2cの夫々を挿通固定する場合は、長穴４の各端部側の夫々に支持ボルト３を貫通突設（図９、11、14参照）している。
尚、２本の支持ボルト３の夫々を長穴４の端部側に貫通突設した状態の断面図は、図４と同一のため省略する。
【００１８】
そして、長穴４を貫通した支持ボルト３は、ばね板ナット５で締結され、これにより長穴４からの抜け止めが施され、固定部１上面からの上方突出状態が保持されている。
【００１９】
固定部１端部に有する上記挿通穴７は固定部１の長手方向に長く形成している。
【００２０】
又、固定部１底面において、挿通穴７周囲には、防水性及び可撓性を有する合成樹脂製で薄肉な帯状の粘着シート８を接着している。
【００２１】
上記の様に構成された支持金具にあっては、屋根Ｒ上に設置する太陽電池パネル９の設置数に応じて屋根Ｒ上の縦横に適宜間隔を以て固定部１を配置する。
【００２２】
固定部１は、屋根Ｒ上で適宜に隣接する山部頂部Ra間に掛け渡される。
このとき、固定部１端部の挿通穴７の夫々が各山部頂部Ra上に位置対応する様に挿通穴７の長手方向（桁行方向Ｘに同じ）に固定部１を移動調整する。
【００２３】
そして、挿通穴７とその下部の山部頂部Raにボルト６を通し、該ボルト６の螺子部を桁Ｂに螺着させ、これにより山部頂部Ra上での上記端部の接地固定状態を保持し、固定部１は山部頂部Ra間に架設される。
【００２４】
かかる状態では、固定部１底面の挿通穴７周囲に有する粘着シート８がボルト６が挿通する山部頂部Ra周囲に接着して防水する。
【００２５】
尚、山部頂部Ra上にボルト６によって固定された固定部１端部の挿通穴７には図示しないコーキング材が注入され、挿通穴７を通じてボルト６が挿通する山部頂部Raとの隙間をシールし、雨漏りを完全に防止する。
【００２６】
太陽電池パネル取付架台を構成する縦杆材２は、固定部１上に底部2cが載置される凹溝状に形成され、その長手方向（流れ方向Ｙに同じ）に長い底部2cの軸線上には所定間隔置きに支持ボルト３を挿通する長穴2dを設けている。
【００２７】
そして、縦杆材２を流れ方向Ｙに縦列する固定部１の各列群上に配置する。
縦杆材２を屋流れ方向Ｙに連続させない場合、固定部１の長穴４の中間部に支持ボルト３を配置する（図７参照）。
【００２８】
又、縦杆材２を流れ方向Ｙに連続させる場合、縦杆材２の後端部2bと前端部2aを並置固定する中継ぎの固定部1aの長穴４の各端部側に支持ボルト３を配置し、各支持ボルト３を基準としてその前後の固定部１の支持ボルト３を流れ方向Ｙに縦列する様に夫々の長穴４の端部側に配置する（図14参照）。
【００２９】
そして、流れ方向Ｙに縦列する支持ボルト３の各列群に沿って縦杆材２を配置する。
即ち、縦杆材２の底部2cを固定部１上に載置すると共に、下方より長穴４を通して上方突設した支持ボルト３を底部2cの長穴2dに挿通し、該長穴2dより上方突出した支持ボルト３の突端にナット10を螺着する。
【００３０】
この様に、屋根Ｒ上に固定した固定部１を介して複数の縦杆材２を桁行方向Ｘで平行に配置することにより太陽電池パネル取付架台が構成される。
【００３１】
縦杆材２上の適所には、太陽電池パネル９の前端部、後端部、又は前後端部を夫々に支持固定する所定構造の支持ブラケット11（図５、13に前端部を支持固定する支持ブラケット11を示す。）が直交配置され、太陽電池パネル９が架台（縦杆材２）上に固定される。
【００３２】
又、図８、15に示すリフォーム用の波形の屋根カバーＣを被覆した屋根Ｒにも、屋根カバーＣを介した屋根Ｒ上に支持金具が上記と同様な手法にて固定され、該支持金具（固定部１）には、図示しないが上記と同様に架台（縦杆材２）を介して太陽電池パネル９が固定される。
【００３３】
尚、架台を構成する縦杆材２は、支持金具に固定されて太陽電池パネル９を支持固定するものであれば、上記構成に何ら限定されない。
【符号の説明】
【００３４】
１  固定部
２  縦杆材
2a  前端部
2b  後端部
2c  底部
３  支持ボルト
４  長穴
６  ボルト
７  挿通穴
Ｒ  （波形）屋根
R1  山部
R2  谷部
Ra  頂部
Ｘ  桁行方向
Ｙ  流れ方向
【図１】
0006554442.tif 000002
【図２】
0006554442.tif 000003
【図３】
0006554442.tif 000004
【図４】
0006554442.tif 000005
【図５】
0006554442.tif 000006
【図６】
0006554442.tif 000007
【図７】
0006554442.tif 000008
【図８】
0006554442.tif 000009
【図９】
0006554442.tif 000010
【図１０】
0006554442.tif 000011
【図１１】
0006554442.tif 000012
【図１２】
0006554442.tif 000013
【図１３】
0006554442.tif 000014
【図１４】
0006554442.tif 000015
【図１５】
0006554442.tif 000016